(57)【要約】【課題】側溝目地部における床仕上げ材の剥離を防ぐ。【解決手段】周囲をコンクリートによって埋められ上面が床面と面一になるように床に埋設される側溝とコンクリート上面に配される床仕上げ材との境界部である目地部を形成する目地材であって、側溝の上面周縁部を覆うキャップ部と、キャップ部と分離可能に一体化され、コンクリート打設時に生コンを堰き止めて床仕上げ材を側溝とコンクリートとの間に流入させるための空間を側溝の上面周縁部の外側に形成する堰堤部とを備え、堰堤部は、前記空間内に流入する床仕上げ材と絡み合って床仕上げ材を引き剥がす力に抵抗可能とするアンカー部を有する。【選択図】図１
2010150744.tif 000002
【特許請求の範囲】
【請求項１】
周囲を床構成基材によって埋められ上面が床面と略面一になるように床に埋設される床埋設構造物と前記床構成基材の上面に配されて床面を形成する床仕上げ材との境界部である目地部を形成するための目地形成材であって、
前記床埋設構造物の上面周縁部を覆う養生キャップ部と、
この養生キャップ部と分離可能に一体化され、前記床構成基材の打設時に当該床構成基材を堰き止めて当該床構成基材の上面に配される前記床仕上げ材を前記床埋設構造物と前記床構成基材との間に流入させるための空間を前記床埋設構造物の上面周縁部の外側に形成する堰堤部と、
を備え、
前記堰堤部は、前記床埋設構造物の上面周縁部の外側に流入する床仕上げ材と絡み合って当該床仕上げ材を引き剥がす力に抗することを可能とするアンカー部を有する
ことを特徴とする目地形成材。
【請求項２】
周囲を床構成基材によって埋められ上面が床面と略面一になるように床に埋設される床埋設構造物と前記床構成基材の上面に配されて床面を形成する床仕上げ材との境界部である目地部を形成するための目地形成材であって、
前記床埋設構造物の上面周縁部を覆う養生キャップ部と、
前記床構成基材の打設時に当該床構成基材を堰き止めて当該床構成基材の上面に配される前記床仕上げ材を前記床埋設構造物と前記床構成基材との間に流入させるための空間を前記床埋設構造物の上面周縁部の外側に形成する堰堤部と、
を備え、
前記堰堤部は、前記床埋設構造物の上面周縁部の外側に流入する床仕上げ材と絡み合って当該床仕上げ材を引き剥がす力に抗することを可能とするアンカー部を前記床構成基材に形成するための凹凸を有する
ことを特徴とする目地形成材。
【請求項３】
周囲を床構成基材によって埋められ上面が床面と略面一になるように床に埋設される床埋設構造物と前記床構成基材の上面に配されて床面を形成する床仕上げ材との境界部である目地部を形成するための目地形成材であって、
前記床埋設構造物の上面周縁部を覆う養生キャップ部と、
前記床構成基材の打設時に当該床構成基材を堰き止めて当該床構成基材の上面に配される前記床仕上げ材を前記床埋設構造物の上面周縁部の下面にまで流入させるための空間を前記床埋設構造物の上面周縁部の外側に形成する堰堤部と、
を備えることを特徴とする目地形成材。
【請求項４】
前記床構成基材の打設時に当該床構成基材の天面を平坦に均す鏝を載せ当て案内することを可能とするガイド面を前記堰堤部に備えた
請求項１から３のいずれか一項に記載の目地形成材。
【請求項５】
前記床埋設構造物の上面周縁部の下面に当接して当該床埋設構造物の上面周縁部を支持する裏込め材をさらに備え、
前記養生キャップ部および前記堰堤部のうちの少なくとも養生キャップ部が、前記裏込め材に対して分離可能に接続されており、
当該養生キャップ部および堰堤部のうちの少なくとも養生キャップ部を分離することにより前記裏込め材を目地裏部に残して当該養生キャップ部および堰堤部のうちの少なくとも養生キャップ部を除去可能とした
請求項１から４のいずれか一項に記載の目地形成材。
【請求項６】
上面が床面と略面一になるように床に埋設された床埋設構造物と、
当該床埋設構造物の周囲を埋める床構成基材と、
当該床構成基材の上面に配されて床の仕上げ面を形成する床仕上げ材と、
前記床埋設構造物の上面周縁部の外側に配置され、前記床構成基材の打設時に当該床構成基材を堰き止めて前記床仕上げ材を前記床埋設構造物と前記床構成基材との間に流入させるための空間を形成する堰堤部材と、
を備える床埋設構造体であって、
前記堰堤部材は、前記床埋設構造物の上面周縁部の外側に流入する床仕上げ材と絡み合って当該床仕上げ材を引き剥がす力に抗することを可能とするアンカー部を有し、
当該アンカー部に前記床仕上げ材が絡み合うように前記床仕上げ材が前記床構成基材の上に配されている
ことを特徴とする床埋設構造体。
【請求項７】
上面が床面と略面一になるように床に埋設された床埋設構造物と、
当該床埋設構造物の周囲を埋める床構成基材と、
当該床構成基材の上面に配されて床の仕上げ面を形成する床仕上げ材と、
を備える床埋設構造体であって、
前記床構成基材は、前記床埋設構造物の上面周縁部の外側において前記床仕上げ材と絡み合って当該床仕上げ材を引き剥がす力に抗することを可能とするアンカー部を備え、
当該アンカー部に前記床仕上げ材が絡み合うように前記床仕上げ材が前記床構成基材の上に配されている
ことを特徴とする床埋設構造体。
【請求項８】
上面が床面と略面一になるように床に埋設されかつ上面周縁部が外方へ張り出すフランジ状に形成された床埋設構造物と、
当該床埋設構造物の周囲を埋める床構成基材と、
当該床構成基材の上面に配されて床の仕上げ面を形成する床仕上げ材と、
を備える床埋設構造体であって、
前記床仕上げ材が、前記フランジ状の上面周縁部の下面に潜り込むように前記床構成基材の上に配されている
ことを特徴とする床埋設構造体。
【請求項９】
前記フランジ状の上面周縁部の下面に当接して前記床埋設構造物の上面周縁部を支持する裏込め材をさらに備える
請求項８に記載の床埋設構造体。
【発明の詳細な説明】
【技術分野】
【０００１】
本発明は、厨房施設などの床面に埋設される側溝や排水枡周囲の目地構造に係り、特に、床表面の仕上げ材が剥離しにくい目地構造を形成するための型枠材に関する。
【背景技術】
【０００２】
業務厨房や給食施設、食品工場等の業務施設では、清浄な室内環境を保つ衛生管理が求められ、多量の湯水を使用して頻繁に清掃が行われる。清掃に使用した排水は、施設の床に埋設された排水溝（側溝）に集められ、排水枡を経て下水道に排出される。
【０００３】
図１３から図１５は、このような側溝の一例を示すものである。これら図に示すように一般に側溝は、上面が開放された溝状の排水路である側溝本体６を上面開口７が床面４ａと面一となるように床に埋設し、床面４ａに放出された排水が上面開口７から側溝本体６の内部に流れ込み、側溝本体６の端部において同様に床に埋設された排水枡１０（図１５参照）を通じて下水道に流れ落ちるようになされている。側溝本体６は、躯体コンクリート１内において、外面に設置された固定金具５を介して固定用の配筋３に支持されるとともに、周囲を床構成基材２（例えばシンダーコンクリート）により埋められる。また、側溝周囲の床表面４ａは床仕上げ材４により防水仕上げされ、これにより床面４ａに放出された排水は床の内部に染み込むことなく側溝本体６へ流れ込み、排水枡１０に導かれて排出される。側溝本体６としては、衛生的な観点ならびに耐薬品性・耐蝕性の観点から近年、ステンレス製のものが用いられることが多い。
【０００４】
また、このような側溝の施工においては、シンダーコンクリート２の打設前に例えば図１１に示すような断面逆三角形状の面木（目地形成材）９を側溝本体６の上面周縁部の外側に設置しておき、コンクリート２を充填した後にこの面木９の下側斜面９ａに鏝（図示せず）を突き当てるようにしてコンクリート２の表面２ａを平らに均す作業を行う。そして、コンクリート２が固まったら面木９を取り外し（図１１に符号９０で示す）、図１２に示すようにコンクリート表面２ａに床の最終仕上げ面４ａを形成する床仕上げ材４を塗布する。
【発明の開示】
【発明が解決しようとする課題】
【０００５】
ところで、従来の側溝構造では、第一に、床仕上げ材４とステンレス製の側溝本体６あるいはコンクリート２との境界部である目地部８に隙間が生じたり、床仕上げ材４が剥離する問題が生じることが度々あった。このような目地部８の劣化は、見た目が悪いだけでなく当該構造物の耐久性ならびに衛生面からも好ましくない。目地の隙間から排水がしみ込んでコンクリートを酸化させ、また、排水に含まれる食品残渣等が目地間隙に入り込んで雑菌を繁殖させるおそれがあるからである。
【０００６】
また、第二の問題として従来の施工法では、側溝本体６を運搬しあるいは設置するときに目地縁部が傷つけられたり汚れが付着することがあり、このため現場に設置した後に再仕上げが必要となることが少なからずあった。
【０００７】
さらに第三の問題として従来の面木９は、釘打ち等によって側溝本体６に固定されていたため、コンクリート打設時の生コンの流入圧力によって面木９がずれたり外れるなどのトラブルが発生することがあった。また一方で、コンクリート打設後には面木９の取外しに手間を要した。
【０００８】
さらに第四の問題として従来の施工は、作業性および仕上がり精度の点で十分なものとは言えない面がある。前記施工法（図１１）においてコンクリート表面２ａを均す作業は、面木９を使用するにしてもコンクリート表面２ａを仕上げるのにその高さレベルを目測や勘に頼らざるを得ず、作業スタッフの経験や技能によって仕上がり精度にばらつきが生じやすいからである。
【０００９】
さらに第五の問題として従来の目地構造、特に、図１１〜１５に示すような側溝本体６の上面周縁部が外方へ張り出すフランジ状に形成されその先端がさらに下方へ折り曲げられて立ち下がるような構造を有する側溝にあっては、当該立下り部１１ｂによって邪魔されてフランジ内部（フランジ部の水平部１１ａの下面）にコンクリート２が廻り込みにくく、コンクリート２をフランジ内に満遍なく充填することが難しい。このため、フランジ内（目地裏部）に空隙が残って十分な強度が得られず、また空隙のために歩行時に異音が発生するなどの問題が生じることがあった。
【００１０】
他方、このような不都合を解消するため、施工時にフランジ内にモルタルを予め充填したり、前記立下り部１１ｂに複数の孔を開けておき、これらの孔を通じて打設コンクリート２をフランジ内に流入させる方法も考えられる。しかしながら、これらの方法では、施工が複雑化してコストが嵩む難があり、打設コンクリート２がフランジ内に確実に充填されているか確認することが出来ない不安も残る。
【００１１】
したがって、本発明の第一の目的は、床仕上げ材の剥離が生じにくい床埋設構造物の目地部を形成することにある。また本発明の第二の目的は、床埋設構造物を運搬しあるいは設置するときに目地縁部（上面周縁部）を傷や汚れから保護する点にある。また本発明の第三の目的は、コンクリートの流入圧力によって外れることがなく同時に取外し容易な床埋設構造物目地部の養生保護手段を提供することにある。また本発明の第四の目的は、目地施工の作業性と仕上がりを良好にすることにある。さらに本発明の第五の目的は、床埋設構造物の上面周縁部をより確実に支持できる目地構造を得ることにある。
【課題を解決するための手段】
【００１２】
前記課題を解決し目的を達成するため、本発明に係る第一の目地形成材は、周囲を床構成基材によって埋められ上面が床面と略面一になるように床に埋設される床埋設構造物と前記床構成基材の上面に配されて床面を形成する床仕上げ材との境界部である目地部を形成するための目地形成材であって、前記床埋設構造物の上面周縁部を覆う養生キャップ部と、この養生キャップ部と分離可能に一体化され、前記床構成基材の打設時に当該床構成基材を堰き止めて当該床構成基材の上面に配される前記床仕上げ材を前記床埋設構造物と前記床構成基材との間に流入させるための空間を前記床埋設構造物の上面周縁部の外側に形成する堰堤部とを備え、前記堰堤部は、前記床埋設構造物の上面周縁部の外側に流入する床仕上げ材と絡み合って当該床仕上げ材を引き剥がす力に抗することを可能とするアンカー部を有する。
【００１３】
本発明の目地形成材は、床埋設構造物と床仕上げ材との境界部である目地部を形成するものである。床埋設構造物は、典型的には床面上に流される流体（例えば水や湯）を流入させる水路や枡、槽などである。床埋設構造物のより具体的な例として、側溝、排水溝、マンホール、排水枡が挙げられる。かかる床埋設構造物は、周囲を床構成基材によって埋められ、さらに床構成基材の上に床仕上げ材が配されることにより、上面が床面（床仕上げ材の表面）と略面一になるように床に埋設される。
【００１４】
床埋設構造物の周囲に配する上記床構成基材は、典型的にはコンクリート（例えばシンダーコンクリート）であり、当該床構成基材により床埋設構造物を埋設固定する。なお、以下の説明では、床構成基材をコンクリートとして適宜説明するが、本発明における床構成基材は必ずしもコンクリートに限られるものではなく、流動性を有しかつ床埋設構造物を埋設できるものであれば他の材料の使用を本発明は排除するものではない。
【００１５】
床構成基材の上に配する床仕上げ材は、典型的には、防水機能を有する塗料である。しかしながら、施工時に流動性を有し施工後に固まって床表面を形成できる材料であれば特に限定されるものではなく、各種の仕上げ材料を使用することが出来る。
【００１６】
一方、本発明に係る目地形成材は、養生キャップ部と堰堤部とを備える。養生キャップ部は、床埋設構造物の上面周縁部に被せてこれ（上面周縁部）と嵌合することにより、目地形成材を床埋設構造物に対して係止する機能を持たせることが出来る。またこの養生キャップ部は、床埋設構造物の上面周縁部を覆ってこれを保護する。したがって、床埋設構造物の搬送中や据付作業時、埋設施工時等に当該上面周縁部が傷つけられたり汚れが付着することを防ぐことが出来る（後述の第二および第三の目地形成材においても同様）。
【００１７】
さらに、この養生キャップ部は、第一の目地形成材では後に述べる堰提部と分離可能に一体化してある。したがって、コンクリート打設後には、堰堤部から分離（例えば破断）することにより、床埋設構造物の上面周縁部に被せてあった養生キャップ部を容易に取り除くことが可能である。養生キャップ部と堰堤部とを分離可能に形成するには、例えば、両者を繋ぐ連結部として他の部分より肉厚が小さい狭窄部を設ければ良い（養生キャップ部と堰堤部の連結部を肉薄とする）。
【００１８】
堰堤部は、床構成基材（コンクリート）の打設時に床埋設構造物の上面周縁部の外側において当該床構成基材（生コン）を堰き止め、打設されたコンクリートと床埋設構造物との間に空間を形成する。この空間は、後にコンクリート上に床仕上げ材を配するときにこれを流入させるためのものである。堰堤部はさらに、当該空間に流入する床仕上げ材と絡み合って床仕上げ材を引き剥がす力に抗することを可能とするアンカー部を有する。
【００１９】
従来の側溝では、前述のように目地部に隙間が生じたり床仕上げ材が剥離する問題が生じていたが、このような目地部の劣化の原因は、床仕上げ材とステンレス製の側溝本体あるいはコンクリートとの境界部は、異種材料の接合点であってこれらの材料同士はなじみが良好でないことによるものと考えられる。このため外部からの衝撃や振動により、あるいは床に熱湯や冷水が流されてこれら熱膨張率が異なる材料同士が伸縮膨張を繰り返すことにより容易に接合面が剥離してしまう。
【００２０】
これに対して、本発明の目地形成材により目地部を形成すれば、上記アンカー部によって床仕上げ材が目地形成材の堰堤部に絡み合った状態でコンクリート上に配置され、床仕上げ材が当該堰堤部によって保持されるから、床仕上げ材が剥離しにくい目地構造を得ることが出来る。
【００２１】
アンカー部は、例えば、凹凸（窪みや穴、溝などの凹部、又は突起や突条などの凸部、若しくはこれらの組み合わせ）により構成することが出来る。なお、本出願では、凹凸と言った場合には、凹部と凸部の両方を備えたもののみを言うものではなく、凹部のみ又は凸部のみを備えるものをも含む（後述の第二以降の目地形成材についても同様）。凹部のみ或いは凸部のみによっても床仕上げ材を保持して剥離を防ぐことは可能だからである。アンカー部は、要は、床構成基材に上に配されて硬化した床仕上げ材が引き剥がされるような力がかかったときに引っ掛かってこれを阻止する形状のものであれば良い。
【００２２】
床仕上げ材は、施工時には流動性を有して前記コンクリートと床埋設構造物との間の空間に流入する。そして当該空間に流入した床仕上げ材は、上記アンカー部（例えば凹部）に浸入し、あるいは上記アンカー部（凸部）を覆い、その後硬化して堰堤部と絡み合った状態で床構成基材上に配されることとなる。これにより、床仕上げ材が剥離し難くなる。
【００２３】
本発明に係る第二の目地形成材は、前記第一の目地形成材と同様に、周囲を床構成基材によって埋められ上面が床面と略面一になるように床に埋設される床埋設構造物と前記床構成基材の上面に配されて床面を形成する床仕上げ材との境界部である目地部を形成するための目地形成材であり、前記床埋設構造物の上面周縁部を覆う養生キャップ部と、前記床構成基材の打設時に当該床構成基材を堰き止めて当該床構成基材の上面に配される前記床仕上げ材を前記床埋設構造物と前記床構成基材との間に流入させるための空間を前記床埋設構造物の上面周縁部の外側に形成する堰堤部とを備える。
【００２４】
一方、この第二の目地形成材は、床仕上げ材の剥離を防ぐアンカー部を堰堤部に設けた前記第一の目地形成材と異なり、堰堤部が、床埋設構造物の上面周縁部の外側に流入する床仕上げ材と絡み合って当該床仕上げ材を引き剥がす力に抵抗可能とするアンカー部を床構成基材に形成するための凹凸（窪みや穴、溝などの凹部、又は突起や突条などの凸部、若しくはこれらの組み合わせ）を有する。
【００２５】
したがって第二の目地形成材では、床構成基材を打設すると、堰堤部に備えた上記凹凸によって床構成基材にアンカー部が形成される。そして、このアンカー部に床仕上げ材が浸入し、あるいはアンカー部（凸部）を覆い、その後硬化して堰堤部と絡み合った状態で床構成基材上に床仕上げ材が配されることとなる。これにより、前記第一の目地形成材と同様に、床仕上げ材が剥離しにくい目地構造を得ることが出来る。
【００２６】
養生キャップ部の機能は前記第一の目地形成材と同様であるが、この第二の目地形成材では養生キャップ部を堰堤部と分離可能に構成する必要はなく、床構成基材の打設後（床仕上げ材の施工時）には、養生キャップ部と堰堤部は一緒に床埋設構造物から除去される。
【００２７】
なお、前記第一の目地形成材では、アンカー部を堰堤部の床埋設構造物側（床埋設構造物に面する側）に備えるが、第二の目地形成材では床構成基材にアンカー部を形成するため、上記凹凸を堰堤部の床構成基材側（床埋設構造物とは反対側の面）に設けておく。また、前記第一の目地形成材においても、第二の目地形成材と同様の凹凸を床構成基材側（床構成基材との接合面）にも備えておいても良い。堰堤部と床構成基材との結合力を高めるためであり、このような凹凸を設ければ、床仕上げ材と堰堤部間の剥離のみならず堰堤部が床構成基材から剥がれること（床仕上げ材が堰堤部ごとコンクリートから剥がれること）を防ぐことができ、床仕上げ材の剥離をより一層確実に防止することが出来る。
【００２８】
本発明に係る第三の目地形成材は、周囲を床構成基材によって埋められ上面が床面と略面一になるように床に埋設される床埋設構造物と前記床構成基材の上面に配されて床面を形成する床仕上げ材との境界部である目地部を形成するための目地形成材であって、前記床埋設構造物の上面周縁部を覆う養生キャップ部と、前記床構成基材の打設時に当該床構成基材を堰き止めて当該床構成基材の上面に配される前記床仕上げ材を前記床埋設構造物の上面周縁部の下面にまで流入させるための空間を前記床埋設構造物の上面周縁部の外側に形成する堰堤部とを備える。
【００２９】
本発明の第三の目地形成材は、外方へ張り出すフランジ状の上面周縁部（以下単に、フランジ部と言うことがある）を有する床埋設構造物に好ましく適用することが出来るもので、堰堤部が床埋設構造物の周囲に配される床構成基材を堰き止め、床埋設構造物の上面周縁部の外側に空間を形成する。この空間は、床仕上げ材をフランジ部（床埋設構造物の上面周縁部）の下面にまで流入させるためのもので、床構成基材の打設後この上に配する床仕上げ材は、当該空間に流入し、フランジ部の下面にまで潜り込むように配されることとなる。そしてこのような目地構造によれば、床仕上げ材の端部が床埋設構造物自体（フランジ部）によって押さえられるから、当該床仕上げ材の剥離を防ぐことが出来る。
【００３０】
なお、本目地形成材において養生キャップ部は、前記第一及び第二の目地形成材における養生キャップ部と同様の機能を果たす。また堰堤部は、前記第二の目地形成材と同様に養生キャップ部と一体に構成しておけば良く、床構成基材の打設後（床仕上げ材の施工時）には養生キャップ部と一緒に床埋設構造物から取り除かれる。
【００３１】
前記第一から第三の目地形成材ならびに後に述べる第四の目地形成材では、床構成基材の打設時に当該床構成基材の天面を平坦に均す鏝を載せ当て案内することを可能とするガイド面を堰堤部に備えても良い。
【００３２】
このようなガイド面を目地形成材に備えれば、当該ガイド面を基準として（当該ガイド面に面一となるように合わせて）床構成基材の上面を例えば鏝を使用して仕上げることが出来るから、施工作業者の経験や技能に左右されず、床仕上げ材の下地となる床構成基材の上面を効率よく正確に仕上げることが出来る。
【００３３】
なお、このようなガイド面を備える目地形成材のより具体的な構成例を述べれば、次のとおりである。例えば、堰堤部の上面を平坦な面としてこれを上記ガイド面とし、このガイド面（堰堤部の上面）の内側（以下、床埋設構造物の内部に近い側を「内側」、床埋設構造物から見て外方ないし周囲側を「外側」と称する）の端縁部に養生キャップ部が接続され当該内側端部から立ち上がって床埋設構造物の上面周縁部を覆うように養生キャップ部を設ける。このような目地形成材によれば、床埋設構造物の周囲に打設され鏝で均されるコンクリート（生コン）を、上記ガイド面より下側において堰堤部によって堰き止めて床埋設構造物内側への浸入を阻止することが出来る一方、ガイド面より上側では、堰堤部上面の内側端部から立ち上がる養生キャップ部が、コンクリート表面を均すため上記ガイド面の高さで水平に動かされる鏝を受け止め（ストッパとしての役割を果たしてコンクリート表面の平坦化作業をやり易くする）、生コンにより床埋設構造物の上面周縁部が汚されることを防ぐことが出来る。このように上記ガイド面に鏝を当て、これを基準（例えば開始位置）としてコンクリート表面の平坦化作業を行い、当該ガイド面（堰堤部の上面）に合わせてこの面と面一となるように床構成基材の天面を容易に仕上げることが可能となる。
【００３４】
本発明に係る第四の目地形成材は、前記第一から第三の目地形成材において、前記床埋設構造物の上面周縁部の下面に当接して当該床埋設構造物の上面周縁部を支持する裏込め材をさらに備えたもので、前記養生キャップ部および前記堰堤部のうちの少なくとも養生キャップ部を、前記裏込め材に対して分離可能に接続し、当該養生キャップ部および堰堤部のうちの少なくとも養生キャップ部を分離することにより前記裏込め材を目地裏部に残して当該養生キャップ部および堰堤部のうちの少なくとも養生キャップ部を除去可能とする。
【００３５】
このような目地形成材によれば、床構成基材を打設した後に、養生キャップ部、または養生キャップ部および堰堤部の双方を取り外せば、裏込め材が目地裏部に残ってこの裏込め材により床埋設構造物の上面周縁部が支持されるから、目地部下面に廻り込むコンクリートのみに頼っていた従来の施工に比べ、目地部の強度をより確実に確保することが出来る。また、目地部に別途モルタルを充填するような手間を省くことができ、生コンを導入しやすくするための特別な加工を床埋設構造物に施す必要もなくなる。
【００３６】
本発明の第一の床埋設構造体は、上面が床面と略面一になるように床に埋設された床埋設構造物と、当該床埋設構造物の周囲を埋める床構成基材と、当該床構成基材の上面に配されて床の仕上げ面を形成する床仕上げ材と、前記床埋設構造物の上面周縁部の外側に配置され、前記床構成基材の打設時に当該床構成基材を堰き止めて前記床仕上げ材を前記床埋設構造物と前記床構成基材との間に流入させるための空間を形成する堰堤部材とを備える床埋設構造体であり、前記堰堤部材は、前記床埋設構造物の上面周縁部の外側に流入する床仕上げ材と絡み合って当該床仕上げ材を引き剥がす力に抗することを可能とするアンカー部を有し、当該アンカー部に前記床仕上げ材が絡み合うように前記床仕上げ材が前記床構成基材の上に配されている。
【００３７】
また本発明の第二の床埋設構造体は、上面が床面と略面一になるように床に埋設された床埋設構造物と、当該床埋設構造物の周囲を埋める床構成基材と、当該床構成基材の上面に配されて床の仕上げ面を形成する床仕上げ材とを備える床埋設構造体であって、前記床構成基材は、前記床埋設構造物の上面周縁部の外側において前記床仕上げ材と絡み合って当該床仕上げ材を引き剥がす力に抗することを可能とするアンカー部を備え、当該アンカー部に前記床仕上げ材が絡み合うように前記床仕上げ材が前記床構成基材の上に配されている。
【００３８】
さらに本発明の第三の床埋設構造体は、上面が床面と略面一になるように床に埋設されかつ上面周縁部が外方へ張り出すフランジ状に形成された床埋設構造物と、当該床埋設構造物の周囲を埋める床構成基材と、当該床構成基材の上面に配されて床の仕上げ面を形成する床仕上げ材とを備える床埋設構造体であって、前記床仕上げ材が、前記フランジ状の上面周縁部の下面に潜り込むように前記床構成基材の上に配されている。
【００３９】
さらに本発明の第四の床埋設構造体は、前記第三の床埋設構造体において、前記フランジ状の上面周縁部の下面に当接して前記床埋設構造物の上面周縁部を支持する裏込め材をさらに備えるものである。
【００４０】
これら本発明の第一、第二、第三ならびに第四の床埋設構造体はそれぞれ、例えば前記本発明の第一、第二、第三ならびに第四の目地形成材を使用することにより形成することが出来る。なお、これら第一から第四の床埋設構造体において、床埋設構造物、床構成基材および床仕上げ材の意義ならびに機能は、前記本発明の目地形成材において説明したのと同様であるから重複した説明を省略する。また、堰堤部材、およびアンカー部についても、前記本発明の目地形成材において堰堤部およびアンカー部として説明したものと同様である。
【発明の効果】
【００４１】
本発明に係る目地形成材および床埋設構造体によれば、床仕上げ材の剥離が生じにくい床埋設構造物の目地部を形成することが出来ると共に、床埋設構造物の傷や汚れを防ぎ、施工性を向上させることが出来る。また、裏込め材を備えた本発明の第四の目地形成材および床埋設構造体によればさらに、床埋設構造物の上面周縁部をより確実に支持できる目地構造を得ることが出来る。
【００４２】
本発明の他の目的、特徴および利点は、図面に基づいて述べる以下の本発明の実施の形態の説明により明らかにする。なお、各図中、同一の符号は、同一又は相当部分を示す。
【発明を実施するための最良の形態】
【００４３】
〔第１実施形態〕
図１は本発明の第一の実施の形態に係る目地形成材（以下、目地材と言う）を側溝に装着した施工中（コンクリート打設時）の状態を示す断面図であり、図２は当該目地材を使用して完成した側溝の目地部を示す断面図である。なお、これら図１および図２（後述の図３から図１０も同様）は、前記図１１および図１２と同様に側溝の目地部（図１３，１４に符号Ａで示す部分に相当）を拡大して示している。また、以下の実施形態では、目地部の構造が異なる３種類の側溝を想定し、これらに適用可能な目地材を構成した。
【００４４】
第一の実施形態が対象とする側溝は、図１および図２に示すように、溝状の側溝本体の左右両上縁部を外側に略９０°折り曲げて水平部６ａを形成し、この水平部６ａに断面Ｌ字状の山形鋼（アングル材）１２を固定して蓋受部を形成したもので、側溝の上面周縁部（以下、側溝縁部と言う）が、側溝本体６（水平部６ａ）の外側縁部から略鉛直に立ち上がったアングル材１２の直立部１２ｂによって形成されている（第二・第三の実施形態についても図３から図６に示すように同様）。なお、図１および図２は側溝の右側のみを示しており、左側はこれら図示したものと対称の形状となる（図３から図１０も同様）。
【００４５】
また、これら側溝左右のアングル材１２（直立部１２ｂ）の間には、アングル材１２の水平部１２ａに載せつつグレーチングや鋼製蓋（図示せず）が嵌め込まれ、側溝の上面開口が閉塞される。なお、この閉塞状態においても、水はグレーチングや鋼製蓋の孔を通じて側溝本体６の内部に流入可能である。
【００４６】
図１に示すように第一実施形態に係る目地材２１は、側溝縁部（アングル材１２の直立部１２ｂ）の上端部に上から被せるように装着可能なもので、当該側溝縁部の上端部を覆うキャップ部（養生キャップ部）２２と、キャップ部２２の外側下端から下方へ延びて側溝縁部（アングル材１２の直立部１２ｂ）の外側に仕上げ材（床仕上げ材）４（図２参照）を流し込むための空間Ｓを形成する堰堤部２３とを備えている。
【００４７】
キャップ部２２は、略逆Ｕ字状の断面形状を有し、内面に滑り止めの突起を設けると共に可撓性を有する樹脂で形成することによりサックのように側溝縁部（直立部１２ｂ）の上端部に被せて当該側溝縁部（直立部１２ｂ）を挟んで保持する。また、キャップ部２２の内側脚部（側溝内部側の脚部）２２ａは、後に詳しく述べる堰堤部２３と対向して両者により側溝縁部（直立部１２ｂ）を挟持できるように外側脚部（側溝外部側の脚部）２２ｂと比べて長く（下端が堰堤部２３の下端と略同一高さとなるように）してある。
【００４８】
一方、堰堤部２３は、その内面および外面が互いに略平行に略９０°の円弧を描いて側溝本体６から見て外方に膨らむようなアーチ状の断面形状を有するよう形成してあり、上端側の面２３ａを略水平な平面としてこれを前記ガイド面とする一方、下端側の面を前記キャップ部２２の内側脚部２２ａと対向するように略鉛直な平面としてこれを側溝縁部（直立部１２ｂ）の外面に当接させてキャップ部２２の内側脚部２２ａと共に側溝縁部（直立部１２ｂ）を挟持可能とした。したがって、かかるアーチ形状の堰堤部内面２３ｂの内側（堰堤部２３と側溝縁部（直立部１２ｂ）との間）には、仕上げ材４を流入させるための断面略四分円形状をなすポケット状の空間Ｓ（以下、流入ポケットと言う）を形成することが出来る。
【００４９】
なお、かかるキャップ部２２および堰堤部２３からなる目地材２１は、全体として側溝縁部（直立部１２ｂ）と平行に（図１の紙面に垂直な方向へ）側溝縁部に沿って延びる（図３以降に示す第二〜第五実施形態についても同様）。目地材２１の長さは特に限定されない。例えば、図１５に二点鎖線で示すように、適当な長さを有するものとしてこれらを複数繋いで側溝目地部の全体をカバーできるように装着すれば良い。また、排水枡１０についても同様に目地材２１を装着して施工を行えば良い。
【００５０】
堰堤部２３の内面２３ｂには、前記アンカー部となる筋状の凹凸（凸条と凹溝）を形成しておく。前記流入ポケットＳの中に流れ込む仕上げ材４を堰堤部２３と絡み合わせて剥離に対する抵抗力を高めるためである。また、堰堤部２３の外面２３ｃにも同様の凹凸を設ける。側溝周囲に打設するコンクリート２との間の結合力を高めるためである。
【００５１】
堰堤部２３は、その上面（ガイド面２３ａ）の内側縁部（言い換えれば堰堤部内面２３ｂの上端部）において、キャップ部２２の外側脚部２２ｂの外面側下端と連結させる。この連結部２４は他の部分と比べて肉薄となっており、したがってコンクリート２の打設後、この連結部２４を破断する（引き千切る）ことにより図１に破線（符号２２０）で示すようにキャップ部２２のみを側溝から容易に取り外すことが出来る。
【００５２】
目地材２１（キャップ部２２および堰堤部２３）を形成する材料は、特に問わないが、側溝縁部に被せて嵌め込む（側溝縁部を圧入する）ことが可能な軟質の（柔軟性または可撓性を有する）樹脂（例えば塩化ビニールやゴム）を好ましく使用することができ、当該材料によりキャップ部２２と堰堤部２３とを一体成形する。なお、樹脂を使用することは、原料が比較的廉価で一体成形が容易なことから、製造コストを抑える点でも好ましい。
【００５３】
側溝の埋設施工は、例えば次のように行うことが出来る。目地材２１を側溝縁部（直立部１２ｂ）に装着した状態で運搬し現場に搬入する。側溝本体６（アングル材１２を含む）を所定位置に設置した後、その周囲にコンクリート２を打設する。コンクリート２の表面２ａは鏝により均して平坦にするが、このとき、堰堤部２３の上面（ガイド面２３ａ）を基準としてこれに鏝を当て、このガイド面２３ａと同じ高さとなるようにコンクリート表面２ａを平坦化する。この平坦化作業のとき、ならびに前記側溝本体の運搬搬入時には、装着された目地材２１のキャップ部２２によって側溝縁部が覆われ、特に傷や汚れが付きやすい当該側溝の縁部分が保護される。
【００５４】
コンクリート表面２ａを仕上げた後には、図１に破線（符号２２０）で示すように堰堤部２３からキャップ部２２を分離し、キャップ部２２のみを除去する。そして、コンクリート２の表面２ａに仕上げ材４を塗布する。この仕上げ材４は、図２に示すように前記流入ポケットＳに浸入し硬化することによって堰堤部（堰堤部材）２３（内面２３ｂの凹凸）と絡み合った状態でコンクリート表面２ａに配される。
【００５５】
〔第２実施形態〕
図３から図４は、本発明の第二の実施の形態に係る目地材および側溝の目地構造を示すものである。これらの図に示すようにこの目地材３１は、前記第一実施形態と同様の目地部形状を有する側溝に適用できるもので、側溝縁部（直立部１２ｂ）に被せてこれを覆うキャップ部３２と、仕上げ材４を導入する流入ポケットＳを形成する堰堤部３３とを有し、堰堤部３３の上面には、前記第一実施形態と同様に平坦なガイド面３３ａを備える。
【００５６】
一方、この実施形態では、堰堤部３３の外面３３ｃに設けた凹凸によって側溝周囲に打設するコンクリート２自体に仕上げ材４と絡み合うアンカー部を形成する。堰堤部３３は、コンクリート２の打設後、図３に破線（符号３１０）で示すようにキャップ部３２と一緒に除去する。したがって、キャップ部３２と堰堤部３３とは分離可能に構成しておく必要はない。このような目地材３１によっても、図４に示すようにコンクリート２と絡み合った状態で仕上げ材４を配することができ、仕上げ材４の剥離を防止することが出来る。またこの実施形態によれば、目地材を繰り返して使用することが出来るから、環境にも配慮することが出来る。
【００５７】
〔第３実施形態〕
図５から図６は、本発明の第三の実施の形態に係る目地材および側溝の目地構造を示すものである。これらの図に示すようにこの目地材４１は、前記第一および第二実施形態と同様の目地部を有する側溝に適用できるもので、側溝縁部（直立部１２ｂ）に被せてこれを覆うキャップ部４２と、仕上げ材４を導入する流入ポケットＳを形成する堰堤部４３とを有し、堰堤部４３の上面には、前記第一実施形態と同様に平坦なガイド面４３ａを備える。
【００５８】
一方、この実施形態では、図５に示すように堰堤部４３が、略水平に延びる平板状の底板部４６と、底板部４６の中間位置（略２分の１の幅位置）から略鉛直上方に直立する壁板部４５とからなって断面略逆Ｔ字状の全体形状を呈する。底板部４６について、壁板部４５との接続位置より内側の部分はその内側端縁が側溝縁部（直立部１２ｂ）の外面に当接して上記流入ポケットＳの底を形成する。また同じく底板部４６について壁板部４５との接続位置より外側の部分は、壁板部４５より外方へ突出して側溝周囲に打設されるコンクリート２に差し込まれるように配置されることによりアンカーとしての機能を果たす。さらに前記第一実施形態と同様に、壁板部４５の内面４３ｂには、流入ポケットＳの内部に流れ込む仕上げ材４と絡み合う前記アンカー部とする筋状の凹凸（凸条）を形成する一方、壁板部４５の外面４３ｃには、側溝周囲のコンクリート２との間の結合力を高める同様の凹凸（凸条）を設けておく。
【００５９】
なお、キャップ部４２は、前記第一実施形態と同様に堰堤部４３（壁板部４５）の上面内側縁部に連結されるように設けてあり、コンクリート２の打設後には図５に破線（符号４１０）で示すように当該連結部４４を破断して除去することが可能である。そして、図６に示すようにコンクリート２の表面２ａに仕上げ材４が配される。また、キャップ部４２の内側脚部４２ａの下端縁と堰堤部４３（底板部４６）の内側端縁とにより側溝縁部（直立部１２ｂ）が挟持され、これにより目地材４１が側溝縁部に係止される。
【００６０】
本実施形態では、堰堤部４３の壁板部４５を略垂直に起立するようにキャップ部４２の外側脚部４２ｂの下端に接続し、流入ポケットＳが側溝縁部（直立部１２ｂ）に平行に略鉛直下方へ（コンクリート表面２ａに略直交する方向へ）延びるから、図６に示すように仕上げ材４が目地部８の上端で略直角に曲がって流入ポケットＳに浸入し、堰堤部４３（壁板部４５）内面４３ｂのアンカー部（凹凸）と絡み合うように配されることとなる。したがって本実施形態によれば、従来の側溝との比較では勿論、前記第一および第二実施形態と比べても剥離に対する抵抗力をより一層高めることが出来る。また、前記底板部４６の外側部分がコンクリートに差し込まれた状態となるように配されるから、壁板部外面４３ｃに設けた凹凸と相まって仕上げ材４が堰堤部４３ごとコンクリート２から剥離されることを効果的に防ぐことが出来る。
【００６１】
〔第４実施形態〕
図７から図８は、本発明の第四の実施の形態に係る目地材および側溝の目地構造を示すものである。これらの図に示すようにこの目地材５１は、前記第一から第三実施形態とは異なる目地構造を有する側溝に適用するものである。すなわち、本実施形態における側溝は、図７および図８に示すように、前記各実施形態における側溝と同様に側溝本体６の左右両上縁部を外側に略９０°折り曲げた水平部６ａを備えるが、側溝本体６がさらに、当該水平部６ａの外縁から連続して略鉛直上方に立ち上がる起立部６ｂと、この起立部６ｂの上端から略９０°外側へ折り曲がって外方へ水平に延びるフランジ部６ｃとを備え、これらフランジ部６ｃと起立部６ｂとによって側溝縁部が形成される。なお、上記水平部６ａおよび起立部６ｂは前記各実施形態におけるアングル材１２と同様に、側溝の上面開口を閉塞するグレーチングや鋼製蓋を受け入れる蓋受部を構成する。
【００６２】
本実施形態の目地材は、このような側溝縁部に被せるように装着できるもので、起立部６ｂの上端部とフランジ部６ｃとを覆うキャップ部５２と、側溝周囲に配されるコンクリート２を堰き止めて側溝縁部の外側、より具体的には、フランジ部６ｃの下方かつ起立部６ｂの上部外側に仕上げ材４の流入ポケットＳを形成する堰堤部５３とを有する。キャップ部５２と堰堤部５３とは、前記第二実施形態と同様に分離可能に構成する必要はない。また、堰堤部５３の上端（キャップ部５２との境界部）には、鏝を案内するため、前記各実施形態と同様のガイド面５３ａを設ける。このガイド面５３ａの形成は、堰堤部５３の外面がキャップ部５２（外側脚部５２ｂ）の外面より外方へ突出するようにキャップ部５２（外側脚部５２ｂ）の外面と堰堤部５３の外面との間に段差を設け、この段差を利用して堰堤部５３の上端に水平な平面を形成し、これをガイド面５３ａとすれば良い。
【００６３】
本実施形態の目地材５１では、キャップ部５２の内側脚部５２ａの下端と堰堤部５３の下端とにより側溝縁部（起立部６ｂ）を挟持し、これにより目地材５１を側溝縁部に係止可能とする。一方、コンクリート２の打設後には、図７に破線（符号５１０）で示すようにキャップ部５２と堰堤部５３とを一緒に側溝から除去する。そして、コンクリート２の上面２ａに仕上げ材４を塗布すれば、フランジ部６ｃの下面の流入ポケットＳに仕上げ材４が流れ込み、側溝縁部（フランジ部６ｃ）の下面に仕上げ材４が潜り込んだ目地構造を得ることが出来る。
【００６４】
このような目地構造によれば、仕上げ材４の端部が側溝（フランジ部６ｃ）によって押さえられ、仕上げ材４の剥離を防ぐことが出来る。なお、本実施形態においても、コンクリート２にアンカー部（凹凸）を形成して仕上げ材４をコンクリート２に絡み合わせるようにするため、前記第二実施形態と同様の凹凸（図示せず）を堰堤部５３の外面５３ｃにさらに設けておいても良い。
【００６５】
〔第５実施形態〕
図９から図１０は、本発明の第五の実施の形態に係る目地材および側溝の目地構造を示すものである。これらの図に示すようにこの目地材を適用する側溝は、前記第四実施形態の側溝と同様に側溝上縁部に、水平部６ａ、起立部６ｂおよびフランジ部６ｃを備えるものであるが、フランジ部６ｃの外縁が略鉛直下方へ立ち下がった形状を有する。このような鉤状のフランジ部６ｃを備えた側溝の場合、前に述べたように、側溝周囲を埋めるコンクリート２が立ち下がったフランジ先端部（立下り部６ｄ）によって邪魔されてフランジ部６ｃの下面に廻り込み難く、フランジ部６ｃの下面にコンクリートを満遍なく充填することが難しい。したがって本実施形態では、このような側溝に好適な目地材の一例として、裏込め材６５を備える目地材６１を構成した。
【００６６】
具体的には、本実施形態の目地材６１は、前記第四実施形態の目地材５１と略同様の形状と機能を有するキャップ部６２と堰堤部６３とを備えるが、これに加えて裏込め材６５を有する。この裏込め材６５は、方形の断面形状を有してその上面がフランジ部６ｃの下面に当接してこれを支持できるようにキャップ部６２の内部（キャップ部６２の内側脚部６２ａと堰堤部６３との間）に設けてある。またこの裏込め材６５は、目地材６１（キャップ部６２および堰堤部６３）の全長に亘って目地材６１の長さ方向（図９の紙面に垂直な方向）にキャップ部６２および堰堤部６３と平行に延びると共に、堰堤部６３の下端部において当該堰堤部６３と肉厚の薄い連結部６４を介して連結してあり、この連結部６４を破断することにより堰堤部６３と分離することが可能である。
【００６７】
また、裏込め材６５の外面には、目地材６１の長さ方向に延びる突条６６を設けてあり、側溝縁部への装着状態においてこの突条６６がフランジ先端部（立下り部６ｄ）の内面に当接し、さらにフランジ部（水平部分６ｃ）がキャップ部６２と裏込め材６５によって挟持されると共に、キャップ部６２の内側脚部６２ａの下端が側溝縁部（起立部６ｂ）の内面に当接することにより目地材６１が側溝縁部に係止される。目地材６１は可撓性を有する樹脂材料により構成してあり、側溝への装着にあたっては、キャップ部６２と裏込め材６５との間を広げてこれらの間にフランジ部６ｃ，６ｄを挿入するようにすれば良い。なお、前記各実施形態の目地材２１，３１，４１，５１も同様に、可撓性を有する樹脂材料により構成してあり、キャップ部と堰堤部との間を広げてその間に側溝縁部を挿入することにより容易に装着可能である。
【００６８】
施工にあたっては、目地材６１を装着した状態で側溝の周囲にコンクリート２を打設し、その表面２ａをガイド面６３ａと面一となるように平坦に均す。そして、上記連結部６４を破断することにより裏込め材６５と堰堤部６３を分離し、裏込め材６５をフランジ部６ｃの下面に残してキャップ部６２および堰堤部６３を一緒に除去する。その後、図１０に示すようにコンクリート２の表面２ａに仕上げ材４を塗布するが、仕上げ材４は裏込め材６５の外面位置まで流入し、立ち下がったフランジ先端部（立下り部６ｄ）に引っ掛かるように配される。これにより、仕上げ材４が剥離し難い目地構造を得ることが出来る。また、フランジ部６ｃの下面が裏込め材６５によって支持されるから、フランジ部６ｃの下面に空隙が残ることによる前記問題（目地部の強度低下や歩行時の異音発生）を解消することが出来る。
【００６９】
以上、本発明の実施形態について説明したが、これら実施形態の利点を纏めて述べれば次のとおりである。（１）床仕上げ材を堰堤部またはコンクリートと絡み合わせるように、あるいは床仕上げ材を側溝縁部に引っ掛けるように配置可能とすることにより、床仕上げ材の剥離を防止することが出来る。（２）側溝縁部（目地部）は運搬時や取付け施工時に傷が付きあるいは汚れ等が入る恐れが多分にあったが、これを防ぐことができ、現場取付けの後の再仕上げを不要にすることが出来る。（３）側溝縁部を挟むように目地材が側溝に係止されるから、生コン打設時の流入圧に十分に耐えることが出来る一方で、目地材の取り外しの手間も少なくて済む。（４）従来はコンクリートの天面を正確なレベルに仕上げるための目印がなく、仕上げ位置（スタート位置）が明確ではなかったが、本実施形態の目地材によれば、ガイド面（段差部）によって仕上げ位置が明確になり、この段差部に例えば鰻先を当て平坦化作業を開始することによりコンクリート表面を短時間に効率よく正確に仕上げることが出来る。（５）裏込め材を備えているから（第５実施形態）、目地裏部に空隙が残らず、十分な強度を得ることができ、歩行時に異音が発生するなどの問題が生じることを防ぐことが出来る。
【００７０】
本発明は、図面に基づいて説明した前記実施形態に限定されるものではなく、特許請求の範囲に記載の範囲内で種々の変更を行うことが出来ることは当業者に明らかである。
【００７１】
例えば、側溝および排水枡を含む床埋設構造物の構造、特に、上面周縁部（目地部）の構造は、図示の例のほか様々なものであって良く、これら様々な目地部に適用できる目地形成材を本発明に基づいて構成することが可能である。また、床埋設構造物には、側溝および排水枡のほか、例えば、貯水槽や貯蔵庫、融雪槽など床面に埋設する構造物が広く含まれ、これらに対して本発明は適用可能である。
【００７２】
さらに、当該床埋設構造物の長さや形状等は様々であって良く、例えば側溝に分岐路を備えていても構わない。そして本発明の目地形成材は、これら床埋設構造物に形状等に合わせて、様々な形状・パターン・長さ寸法等を採ることがある。床仕上げ材は、典型的には防水性を有するがこれは必ずしも必須の要件ではない。また、目地材を構成する材料としては、各種の樹脂（熱硬化性樹脂または熱可塑性樹脂）のほか樹脂以外の材料を使用することも可能である。
【図面の簡単な説明】
【００７３】
【図１】本発明の第一の実施形態に係る目地形成材を側溝の目地部に装着した状態で示す断面図である。
【図２】前記第一実施形態の目地形成材により形成した側溝の目地部を示す断面図である。
【図３】本発明の第二の実施形態に係る目地形成材を側溝の目地部に装着した状態で示す断面図である。
【図４】前記第二実施形態の目地形成材により形成した側溝の目地部を示す断面図である。
【図５】本発明の第三の実施形態に係る目地形成材を側溝の目地部に装着した状態で示す断面図である。
【図６】前記第三実施形態の目地形成材により形成した側溝の目地部を示す断面図である。
【図７】本発明の第四の実施形態に係る目地形成材を側溝の目地部に装着した状態で示す断面図である。
【図８】前記第四実施形態の目地形成材により形成した側溝の目地部を示す断面図である。
【図９】本発明の第五の実施形態に係る目地形成材を側溝の目地部に装着した状態で示す断面図である。
【図１０】前記第五実施形態の目地形成材により形成した側溝の目地部を示す断面図である。
【図１１】従来の目地形成材の一例を側溝に装着した状態で示す断面図である。
【図１２】前記図１１に示した目地形成材により形成した側溝の目地部を示す断面図である。
【図１３】側溝の一例を切り欠いて示す斜視図である。
【図１４】側溝の一例を示す断面図（図１５のＸ‐Ｘ断面）である。
【図１５】側溝の一例を示す平面図である。
【符号の説明】
【００７４】
１  躯体コンクリート
２  コンクリート（床構成基材）
２ａ  コンクリート（床構成基材）の上面
３  固定用配筋
４  床仕上げ材
４ａ  床仕上げ材の上面（床表面）
５  固定金具
６  側溝本体
６ａ  側溝本体の水平部
６ｂ  側溝本体の起立部
６ｃ，１１  側溝本体のフランジ部
６ｄ  側溝本体の立下り部
７  上面開口
８  目地部（側溝と床仕上げ材との境界部）
９  面木（目地形成材）
１０  排水枡
１２  山形鋼（アングル材）
１２ａ  アングル材の水平部
１２ｂ  アングル材の直立部
２１，３１，４１，５１，６１  目地形成材
２２，３２，４２，５２，６２  キャップ部
２２ａ，３２ａ，４２ａ，５２ａ，６２ａ  キャップ部の内側脚部
２２ｂ，３２ｂ，４２ｂ，５２ｂ，６２ｂ  キャップ部の外側脚部
２３，３３，４３，５３，６３  堰堤部（堰堤部材）
２３ａ，３３ａ，４３ａ，５３ａ，６３ａ  ガイド面
２３ｂ，３３ｂ，５３ｂ，６３ｂ  堰堤部の内面
２３ｃ，３３ｃ，５３ｃ  堰堤部の外面
２４，４４，６４  連結部
４３ｂ  壁板部の内面
４３ｃ  壁板部の外面
４５  壁板部
４６  底板部
Ｓ  流入ポケット（床仕上げ材の流入空間）
【図１】
2010150744.tif 000003
【図２】
2010150744.tif 000004
【図３】
2010150744.tif 000005
【図４】
2010150744.tif 000006
【図５】
2010150744.tif 000007
【図６】
2010150744.tif 000008
【図７】
2010150744.tif 000009
【図８】
2010150744.tif 000010
【図９】
2010150744.tif 000011
【図１０】
2010150744.tif 000012
【図１１】
2010150744.tif 000013
【図１２】
2010150744.tif 000014
【図１３】
2010150744.tif 000015
【図１４】
2010150744.tif 000016
【図１５】
2010150744.tif 000017